(57)【要約】  【課題】  本発明は、複数の浴室カウンタに対して種々適用可能であり、結果として安価となり施工性の高い、浴室カウンタ支持材を提供することを目的としている。  【解決手段】  本発明においては、浴室壁面に固定する壁固定板と、この壁固定板より水平方向に延設され浴室カウンタの天板を載置する横板とを備えており、前記壁固定板が、板厚の変化する段差又は折り溝を有するようにした浴室カウンタ支持材を用いている。また、板厚の変化する段差又は折り溝が、複数箇所設けられた浴室カウンタ支持材を用いている。  【選択図】  図１
2005095297.tif 000002
【特許請求の範囲】
【請求項１】
浴室壁面に固定する壁固定板と、この壁固定板より水平方向に延設され浴室カウンタの天板を載置する横板とを備え、前記壁固定板が、板厚の変化する段差又は折り溝を有する浴室カウンタ支持材。
【請求項２】
請求項１において、板厚の変化する段差又は折り溝が、複数箇所設けられた浴室カウンタ支持材。
【請求項３】
請求項１又は２において、壁固定板が、ビス孔を備えた浴室カウンタ支持材。
【請求項４】
請求項１乃至３のいずれかにおいて、横板が、浴室カウンタの天板裏面に設けたリブ又はボスの挿入される凹部を備えた浴室カウンタ支持材。
【請求項５】
浴室壁面に固定する壁固定板と、この壁固定板より水平方向に延設され浴室カウンタの天板を載置する横板と、この横板端部より垂下し浴室カウンタのスカートに接する縦板とを備え、前記壁固定板が板厚の変化する段差又は折り溝を有し、前記横板が浴室カウンタの天板裏面に設けたリブ又はボスの挿入される凹部を有し、前記縦板が浴室カウンタのスカート裏面に設けたリブ又はボスの挿入される凹部を有した浴室カウンタ支持材。
【請求項６】
請求項１乃至５のいずれかにおいて、縦固定板が、その端部に浴室カウンタのスカートを支える係止部を備えた浴室カウンタ支持材。
【発明の詳細な説明】
【技術分野】
【０００１】
本発明は、ホテル、マンション、一般住宅等における浴室または浴室ユニットの洗い場側に設ける浴室カウンタを支持、固定するための浴室カウンタ支持材（単に、「支持材」ともいう）に関するものである。
【背景技術】
【０００２】
従来洗い場付き浴槽は、一方に浴槽、他方に洗い場床を設け、周囲に壁付面を形成し、この壁付面の先端部を立ち上がらせて立上壁を形成すると共に、壁付面に壁パネル及びドアを立て、上部に天井パネルを載置して組み立てられていた。このような洗い場付き浴槽は、ホテル、マンション、一般住宅等の浴室ユニットに多く用いられている。また、防水床パンの片側上に浴槽を載置、固定する場合もある。
【０００３】
これら浴室ユニットは、浴室内の使用勝手や意匠性の観点から、浴室ユニットの洗い場の一辺に、浴槽と直交するように、壁パネルに沿って浴室カウンタが設置されることが多い。この場合、例えば、特許文献１に開示されるように、浴室カウンタが浴室壁側に固定した略Ｌ字状の支持材（支持台）に噛み合わすようにして固定していた。
【特許文献１】特開平１１−３２４３６３号公報（特に、図２及び図３。）
【発明の開示】
【発明が解決しようとする課題】
【０００４】
しかしながら、特許文献１に開示されている略Ｌ字状の支持材は、このＬ字状の支持材に対応する浴室カウンタにしか適用することができず、特に浴室カウンタのスカート高さ（スカートの上下方向の厚み）が異なるものには全く対応することができない。
【０００５】
本発明は、複数種の浴室カウンタに対して適用可能な、浴室カウンタ支持材を提供することを目的としている。
【課題を解決するための手段】
【０００６】
（１）本発明は、浴室壁面に固定する壁固定板と、この壁固定板より水平方向に延設され浴室カウンタの天板を載置する横板とを備え、前記壁固定板が、板厚の変化する段差又は折り溝を有する浴室カウンタ支持材である。
（２）また、項（１）において、板厚の変化する段差又は折り溝が、複数箇所設けられた浴室カウンタ支持材である。
（３）また、項（１）又は（２）において、壁固定板が、ビス孔を備えた浴室カウンタ支持材である。
（４）また、項（１）乃至（３）のいずれかにおいて、横板が、浴室カウンタの天板裏面に設けたリブ又はボスの挿入される凹部を備えた浴室カウンタ支持材である。
（５）また、浴室壁面に固定する壁固定板と、この壁固定板より水平方向に延設され浴室カウンタの天板を載置する横板と、この横板端部より垂下し浴室カウンタのスカートに接する縦板とを備え、前記壁固定板が板厚の変化する段差又は折り溝を有し、前記横板が浴室カウンタの天板裏面に設けたリブ又はボスの挿入される凹部を有し、前記縦板が浴室カウンタのスカート裏面に設けたリブ又はボスの挿入される凹部を有した浴室カウンタ支持材である。
（６）また、項（１）乃至（５）のいずれかにおいて、縦固定板が、その端部に浴室カウンタのスカートを支える係止部を備えた浴室カウンタ支持材である。
【０００７】
本発明にて述べる浴室カウンタ支持材は、壁固定板が板厚の変化する段差又は折り溝を有しており、設置される浴室カウンタのスカート高さに応じて、壁固定板の段差又は折り溝部分で折り曲げて取り除き、壁固定板の長さを調整することで複数種類の浴室カウンタに対応することができる。そのため、浴室カウンタ支持材の成形型費低減、製品単価低減などの利点がある。また、壁固定板にビス孔を設けることにより、浴室壁面への固定が行いやすくなり、横板に溝を設けることにより、浴室カウンタの天板位置決め、施工が行いやすくなる。
【発明の効果】
【０００８】
本発明の浴室カウンタによれば、各種浴室カウンタ専用の支持材を用意する必要がなくなり、１種類の支持材により複数の浴室カウンタに対応させることができる。
【発明を実施するための最良の形態】
【０００９】
本発明にて述べる支持材は、その成形材料が、ＡＢＳ、ＡＥＳ、高密度ポリエチレン等の合成樹脂を用いることが好ましく、特にＡＢＳを用いることが成形性及びコストの点から好ましい。
【００１０】
本発明にて述べる支持材の成形方法は、射出成形、押出成形、真空成形等を用いることができ、リブ等が多く複雑な形状である場合には、特に射出成形が好ましい。
【実施例１】
【００１１】
以下、図面を参照しながら本発明の浴室カウンタ支持材を更に具体的に説明する。図１は、本発明の一実施例の浴室カウンタ支持材の斜視図であり、図２は同浴室カウンタ支持材の３面図（平面図、正面図及び側面図）である。
【００１２】
浴室カウンタ支持材１は、図１及び図２（ロ）に示すように、側面から見れば略Ｐ字状、あるいは略逆Ｌ字状の一体成形品である。壁固定板部（上）８、（中）９、（下）１０と、その壁固定板部（上）８、（中）９から水平手前側に延びる横板部（上）２、（中）３、（下）４と、この横板部を補強する垂直方向の縦板部（前）５、（中）６、（奥）７とを有するほか、壁固定板部（下）１０の下端には、浴室カウンタスカートを引っ掛けるための係止部１１を設け、壁固定板部には、それぞれ、浴室カウンタ支持材１をビス固定するためのビス穴１４ａ、１４ｂ、１５ａ、１６ａ、１６ｂを設け、横板部（上）２には、二箇所に浴室カウンタ天板を嵌合、固定するカウンタ天板固定用溝１２ａ、１２ｂを設け、縦板部（前）５には、スカート固定用溝１３を設けている。
【００１３】
また、図２の（ロ）にみるように、壁固定板部（下）１０の肉厚は、壁固定板部（上）８、（中）９の肉厚よりも薄くなるように形成されており、図３に示すように、壁固定板部（下）１０に外力Ｆを加えると、壁固定板部（中）９と壁固定板部（下）１０との堺目で折れて、壁固定板部（下）１０を取り除けるようになっている。なお、浴室カウンタ支持材１は、ＡＢＳ樹脂を用いて射出成形により作成している。
【００１４】
本実施例の浴室カウンタ支持材は、その形状のまま用いて、浴室カウンタを固定、支持することができる。
また、本実施例の浴室カウンタ支持材は、図３に示したように、壁固定板部（下）１０に力を加え、壁固定板（下）１０を取り除くことにより、異なる浴室カウンタを固定、支持することができる。
【実施例２】
【００１５】
図４は、図１乃至図３に示す浴室カウンタ支持材とは異なる実施例の支持材であり、壁固定板部１０に、複数の折り溝２３を形成している。折り溝２３は、壁固定板部１０を折ることを目的として形成しており、複数の折り溝２３を設けたことで、より多くの種類の浴室カウンタに対応できるようにしている。より具体的には、設置する浴室カウンタに合わせて、対応する折り溝２３部分に力を加え、係止部１１を有している部分を取り除き、浴室カウンタの下部から、壁固定板部１０が突出せず、浴室ユニットの使用者から見えないようにして美観を損ねないようにしている。
【実施例３】
【００１６】
図５乃至図８は、浴室カウンタを固定、支持する浴室カウンタ支持材の説明図である。
図５及び図６を用いて、浴室カウンタの固定、支持について以下に説明する。浴室カウンタ支持材１は、浴室壁面（図６参照）に対し、ビスを用いて固定される。また、浴室壁面には、浴室カウンタ支持材１以外に、浴室カウンタ固定金具１７（図５参照）もビスを用いて固定される。浴室カウンタ固定金具１７は、浴室カウンタ支持材１と同様に、浴室カウンタを支持するものであり、より強度を増すために金属製のものを使用している。
【００１７】
浴室カウンタ支持材１及び浴室カウンタ固定金具１７を固定した後は、浴室カウンタ天板１８（図６参照）を浴室カウンタ支持材１の上に載置して、浴室カウンタ支持材１及び浴室カウンタ固定金具１７により固定する。そして、浴室カウンタスカート１９は、その上端部を浴室カウンタ天板１８の先端に設けた凹部に差し込まれ、下端部を浴室カウンタ支持材１の下端部に引っかけて、固定される。本実施例では、浴室カウンタ支持材１をＡ部分とＢ部分とに切り離すことなく使用しており、Ｂ部分である壁固定板部（下）を残している。
【００１８】
次に、図５及び図６にて説明した浴室カウンタ支持材１と同様の浴室カウンタ支持材を用いて、図５及び図６に示すものとは異なる浴室カウンタを設置方法について説明する。
先ず、浴室カウンタ支持材１から、壁固定板部（下）１０（図３参照）を切り離し、その後、Ｂ部分だけとなった支持材１ａを浴室壁面（図８参照）にビスを用いて固定する。浴室壁面には、支持材１ａ以外に、図示を省略する浴室カウンタ固定金具を固定してあり、図５及び図６に示す浴室カウンタ固定金具１７と同様になっている。
【００１９】
支持材１ａ及び浴室カウンタ固定金具を固定した後は、浴室カウンタ天板２０（図８参照）を支持材１ａの上に載置して、支持材１ａ及び浴室カウンタ固定金具により固定する。そして、浴室カウンタスカート２１は、支持材１ａの手前からスライドさせて固定される。
【図面の簡単な説明】
【００２０】
【図１】本発明の一実施例である浴室カウンタ支持材の斜視図。
【図２】図１に示す浴室カウンタ支持材の３面図であり、（イ）は平面図、（ロ）は側面図、（ハ）は正面図を示す。
【図３】図１に示す浴室カウンタ支持材に力を加えた状態の側面図を示す。
【図４】本発明の他の一実施例である浴室カウンタ支持材の側面図を示す。
【図５】浴室カウンタを固定、施工する際の一実施例である簡略正面図を示す。
【図６】図５に示す浴室カウンタを固定、施工する際の簡略側面図を示す。
【図７】浴室カウンタを固定、施工する際の他の一実施例である簡略正面図を示す。
【図８】図６に示す浴室カウンタを固定、施工する際の簡略側面図を示す。
【符号の説明】
【００２１】
１：浴室カウンタ支持材、１ａ：支持材、２：横板部（上）、３：横板部（中）、４：横板部（下）、５：縦板部（前）、６：縦板部（中）、７：縦板部（奥）、８：壁固定板部（上）、９：壁固定板部（中）、１０：壁固定板部（下）、１１：係止部、１２ａ、１２ｂ：カウンタ天板固定用溝、１３：スカート固定用溝、１４ａ、１４ｂ：ビス止め用の穴、１５ａ、１５ｂ：ビス止め用の穴、１６ａ、１６ｂ：ビス止め用の穴、１７：浴室カウンタ固定金具、１８：浴室カウンタ天板（ＶＣカウンタ）、１９：浴室カウンタスカート、２０：浴室カウンタ天板、２１：浴室カウンタスカート、２２：浴槽エプロン、２３：折り溝
【図１】
2005095297.tif 000003
【図２】
2005095297.tif 000004
【図３】
2005095297.tif 000005
【図４】
2005095297.tif 000006
【図５】
2005095297.tif 000007
【図６】
2005095297.tif 000008
【図７】
2005095297.tif 000009
【図８】
2005095297.tif 000010